(57)【特許請求の範囲】
【請求項１】
プリント回路基板、第１の放射器、および第２の放射器を備えるマルチモードブロードバンドアンテナモジュールであって、
前記第１の放射器は、接続部分、第１の部分、および第２の部分を含み、前記第１の放射器の前記第１の部分は、前記第１の放射器の前記第２の部分に接続され、前記第１の放射器の前記接続部分の一方の端部は、前記第１の放射器の前記第１の部分と前記第２の部分との間のジョイントに接続され、他方の端部は、前記プリント回路基板の信号供給端部に電気的に接続されており、
前記第２の放射器は、接地部分、第１の部分、および第２の部分を含み、前記第２の放射器の前記第１の部分は、前記第２の放射器の前記第２の部分に接続され、前記第２の放射器の前記接地部分の一方の端部は、前記第２の放射器の前記第１の部分と前記第２の部分との間のジョイントに接続され、他方の端部は、前記プリント回路基板の第１の接地端部に電気的に接続されており、
前記第１の放射器と前記第２の放射器との間に容量性結合効果を形成するために、前記第１の放射器の前記第１の部分と前記第２の放射器の前記第１の部分との間に第１の所定の距離が存在し、前記第１の放射器の前記第２の部分と前記第２の放射器の前記第２の部分との間に第２の所定の距離が存在し、
前記第１の放射器の前記第１の部分および前記第２の部分は、この２つの間の前記ジョイントの両側に対称に分布し、前記第１の放射器の前記第１の部分および前記第２の部分は、共に、平面Ｔ字形プレート構造を形成し、
前記第２の放射器の前記第１の部分および前記第２の部分は、この２つの間の前記ジョイントの両側に対称に分布し、前記第２の放射器の前記第１の部分および前記第２の部分は、各々、ストリップ構造またはプレート構造を有し、前記ストリップ構造または前記プレート構造は、この２つの間の前記ジョイントからある距離にわたって延び、前記第１の放射器の方向に向かって屈曲しており、
前記第２の放射器の前記第１の部分の屈曲部によって形成された開口部は、前記第２の放射器の前記第２の部分の屈曲部によって形成された開口部と向かい合い、
前記第１の放射器と同じ平面に配置された前記第２の放射器の前記第１の部分の構成部分が、前記第１の放射器に向かって屈曲している一方の端部であり、前記第１の放射器と同じ平面に配置された前記第２の放射器の前記第２の部分の構成部分が、前記第１の放射器に向かって屈曲している一方の端部である、マルチモードブロードバンドアンテナモジュール。
【請求項２】
前記第２の放射器の前記第１の部分および前記第２の部分の少なくとも１つの構成部分は、前記第１の放射器と同じ平面に配置され、
前記第１の放射器と同じ平面に配置された前記第２の放射器の前記第１の部分の前記構成部分と、前記第２の放射器の前記第１の部分の別の構成部分との間に、９０度の角度が存在する、請求項１に記載のマルチモードブロードバンドアンテナモジュール。
【請求項３】
少なくとも１つの屈曲部を有するストリップ構造または直線ストリップ構造を有する第３の放射器をさらに備え、前記第３の放射器の一方の端部は、前記プリント回路基板の第２の接地端部に接続されている、請求項１または２に記載のマルチモードブロードバンドアンテナモジュール。
【請求項４】
前記第２の放射器の前記接地部分は、インダクタを介して前記プリント回路基板の前記第１の接地端部に電気的に接続されている、請求項１から３のいずれか一項に記載のマルチモードブロードバンドアンテナモジュール。
【請求項５】
前記第１の放射器の前記接続部分は、平板構造またはストリップ構造を有し、前記第２の放射器の前記接地部分は、平板構造またはストリップ構造を有する、請求項１から４のいずれか一項に記載のマルチモードブロードバンドアンテナモジュール。
【請求項６】
マルチモードブロードバンドアンテナモジュールおよびケース本体を含むワイヤレス端末であって、前記マルチモードブロードバンドアンテナモジュールは、前記ケース本体内に配置され、前記マルチモードブロードバンドアンテナモジュールは、プリント回路基板、第１の放射器、および第２の放射器を含み、
前記第１の放射器は、接続部分、第１の部分、および第２の部分を含み、前記第１の放射器の前記第１の部分は、前記第１の放射器の前記第２の部分に接続され、前記第１の放射器の前記接続部分の一方の端部は、前記第１の放射器の前記第１の部分と前記第２の部分との間のジョイントに接続され、他方の端部は、前記プリント回路基板の信号供給端部に電気的に接続されており、
前記第２の放射器は、接地部分、第１の部分、および第２の部分を含み、前記第２の放射器の前記第１の部分は、前記第２の放射器の前記第２の部分に接続され、前記第２の放射器の前記接地部分の一方の端部は、前記第２の放射器の前記第１の部分と前記第２の部分との間のジョイントに接続され、他方の端部は、前記プリント回路基板の第１の接地端部に電気的に接続されており、
前記第１の放射器と前記第２の放射器との間に容量性結合効果を形成するために、前記第１の放射器の前記第１の部分と前記第２の放射器の前記第１の部分との間に第１の所定の距離が存在し、前記第１の放射器の前記第２の部分と前記第２の放射器の前記第２の部分との間に第２の所定の距離が存在し、
前記第１の放射器の前記第１の部分および前記第２の部分は、この２つの間の前記ジョイントの両側に対称に分布し、前記第１の放射器の前記第１の部分および前記第２の部分は、共に、平面Ｔ字形プレート構造を形成し、
前記第２の放射器の前記第１の部分および前記第２の部分は、この２つの間の前記ジョイントの両側に対称に分布し、前記第２の放射器の前記第１の部分および前記第２の部分は、各々、ストリップ構造またはプレート構造を有し、前記ストリップ構造または前記プレート構造は、この２つの間の前記ジョイントからある距離にわたって延び、前記第１の放射器の方向に向かって屈曲しており、
前記第２の放射器の前記第１の部分の屈曲部によって形成された開口部は、前記第２の放射器の前記第２の部分の屈曲部によって形成された開口部と向かい合い、
前記第１の放射器と同じ平面に配置された前記第２の放射器の前記第１の部分の構成部分が、前記第１の放射器に向かって屈曲している一方の端部であり、前記第１の放射器と同じ平面に配置された前記第２の放射器の前記第２の部分の構成部分が、前記第１の放射器に向かって屈曲している一方の端部である、ワイヤレス端末。
【請求項７】
前記第２の放射器の前記第１の部分および前記第２の部分の少なくとも１つの構成部分は、前記第１の放射器と同じ平面に配置され、
前記第１の放射器と同じ平面に配置された前記第２の放射器の前記第１の部分の前記構成部分と、前記第２の放射器の前記第１の部分の別の構成部分との間に、９０度の角度が存在する、請求項６に記載のワイヤレス端末。
【請求項８】
前記マルチモードブロードバンドアンテナモジュールは、屈曲ストリップ構造または直線ストリップ構造を有する第３の放射器をさらに備え、前記第３の放射器の一方の端部は、前記プリント回路基板の第２の接地端部に接続されている、請求項６または７に記載のワイヤレス端末。
【請求項９】
前記第２の放射器の前記接地部分は、インダクタを介して前記プリント回路基板の前記第１の接地端部に電気的に接続されている、請求項６から８のいずれか一項に記載のワイヤレス端末。
【請求項１０】
前記第１の放射器の前記接続部分は、平板構造またはストリップ構造を有し、前記第２の放射器の前記接地部分は、平板構造またはストリップ構造を有する、請求項６から９のいずれか一項に記載のワイヤレス端末。
【発明の詳細な説明】
【技術分野】
【０００１】
本発明は、無線通信の分野に関し、詳細には、マルチモードブロードバンドアンテナモジュールおよびワイヤレス端末に関する。
【背景技術】
【０００２】
アンテナは、無線機器において電磁波信号を送信または受信するために使用される装置である。近年、ワイヤレス通信に使用されるモバイル端末のアンテナの設計および性能が、モバイル通信の開発方向にますます影響を与えるようになっており、特に、モバイルフォン、携帯情報端末（Ｐｅｒｓｏｎａｌ  Ｄｉｇｉｔａｌ  Ａｓｓｉｓｔａｎｔ）またはＭＰ３／ＭＰ４などのワイヤレス端末に大いに影響を与えている。アンテナの設計において、バンド幅特性が、放射特性に大いに影響を与える。周波数共振に基づき、アンテナによって信号伝播およびエネルギー放射が実施される。１つのアンテナが複数の周波数で共振することができる場合、このアンテナは、複数の周波数で動作することができる。別の側面では、あるアンテナが複数の共振周波数を有する場合、設計者およびユーザは、周波数およびバンド幅を必要に応じて調整することができる。アンテナは、複数の共振周波数で動作することができる場合、マルチモードブロードバンドアンテナと呼ばれる。
【０００３】
従来技術には以下の欠点がある。最も一般に使用される既存のアンテナは、板状逆Ｆ型アンテナ（Ｐｌａｎａｒ  Ｉｎｖｅｒｔｅｄ  Ｆ  Ａｎｔｅｎｎａ、略してＰＩＦＡ）であり、ＰＩＦＡアンテナの動作バンド幅は、ＰＩＦＡアンテナの高さに比例する。ＰＩＦＡアンテナをマルチモードブロードバンドアンテナにするためにＰＩＦＡアンテナの動作バンド幅を拡大させる必要がある場合、ＰＩＦＡアンテナの高さを増加させる必要があり、これは、モバイルフォンなどのワイヤレス端末の厚さに否応なく影響を与える。その結果、モバイルフォンなどのワイヤレス端末の薄型構造の要件を満たすことができない。
【発明の概要】
【発明が解決しようとする課題】
【０００４】
本発明において解決すべき技術的課題は、マルチモードブロードバンドアンテナモジュールが大きいレンジの動作バンド幅を有するだけでなく、小さいサイズを有することもできるようなマルチモードブロードバンドアンテナモジュールおよびワイヤレス端末を提供することである。
【課題を解決するための手段】
【０００５】
第１の態様では、本発明は、プリント回路基板、第１の放射器、および第２の放射器を含むマルチモードブロードバンドアンテナモジュールを提供し、
第１の放射器は、接続部分、低周波部分、および高周波部分を含み、第１の放射器の低周波部分は、第１の放射器の高周波部分に接続され、第１の放射器の接続部分の一方の端部は、第１の放射器の低周波部分と高周波部分との間のジョイントに接続され、他方の端部は、プリント回路基板の信号供給端部に電気的に接続されており、
第２の放射器は、接地部分、低周波部分、および高周波部分を含み、第２の放射器の低周波部分は、第２の放射器の高周波部分に接続され、第２の放射器の接地部分の一方の端部は、第２の放射器の低周波部分と高周波部分との間のジョイントに接続され、他方の端部は、プリント回路基板の第１の接地端部に電気的に接続されており、
第１の放射器と第２の放射器との間に容量性結合効果（ｃｏｕｐｌｉｎｇ  ｃａｐａｃｉｔａｎｃｅ  ｅｆｆｅｃｔ）を形成するために、第１の放射器の低周波部分と第２の放射器の低周波部分との間に第１の所定の距離が存在し、第１の放射器の高周波部分と第２の放射器の高周波部分との間に第２の所定の距離が存在する。
【０００６】
第１の態様の考えられる第１の実装形態では、第２の放射器の接地部分は、インダクタを介してプリント回路基板の第１の接地端部に電気的に接続されている。
【０００７】
第１の態様の考えられる第２の実装形態では、第１の放射器の接続部分は、平板構造またはストリップ構造を有し、第２の放射器の接地部分は、平板構造またはストリップ構造を有する。
【０００８】
第１の態様の考えられる第３の実装形態では、第１の放射器の低周波部分は、少なくとも１つの屈曲部を有するストリップ構造を有し、第１の放射器の高周波部分は、平板構造を有し、第１の放射器の低周波部分の電気的長さは、第１の放射器の高周波部分の電気的長さよりも大きい。
【０００９】
第１の態様の考えられる第４の実装形態では、第１の放射器の低周波部分は、平板構造を有し、第１の放射器の高周波部分は、少なくとも１つの屈曲部を有するストリップ構造を有し、第１の放射器の低周波部分の電気的長さは、第１の放射器の高周波部分の電気的長さよりも大きい。
【００１０】
第１の態様の考えられる第５の実装形態では、第２の放射器の低周波部分および第２の放射器の高周波部分は、各々、プレート構造またはストリップ構造を有し、プレート構造またはストリップ構造は、少なくとも１つの屈曲部を有し、第２の放射器の低周波部分は、第１の放射器の低周波部分の周りにあり、第２の放射器の高周波部分は、第１の放射器の高周波部分の周りにあり、第２の放射器の低周波部分の電気的長さは、第２の放射器の高周波部分の電気的長さよりも大きい。
【００１１】
第１の態様の考えられる第６の実装形態では、第１の放射器の低周波部分および高周波部分は、この２つの間のジョイントの両側に対称に分布し、第１の放射器の低周波部分および高周波部分は、共に、平面Ｔ字形プレート構造または直線ストリップ構造を形成する。
【００１２】
第１の態様の考えられる第７の実装形態では、第２の放射器の低周波部分および高周波部分は、この２つの間のジョイントの両側に対称に分布し、第２の放射器の低周波部分および高周波部分は、各々、ストリップ構造またはプレート構造を有し、ストリップ構造またはプレート構造は、この２つの間のジョイントからある距離にわたって延び、第１の放射器の方向に向かって屈曲しており、
第２の放射器の低周波部分の屈曲部によって形成された開口部は、第２の放射器の高周波部分の屈曲部によって形成された開口部と向かい合う。
【００１３】
第１の態様の考えられる第８の実装形態では、第２の放射器の低周波部分および高周波部分の少なくとも１つの構成部分は、第１の放射器と同じ平面に配置される。
【００１４】
第１の態様の考えられる第９の実装形態では、第１の放射器と同じ平面に配置された第２の放射器の低周波部分の構成部分と、第２の放射器の低周波部分の別の構成部分との間に、９０度の角度が存在する。
【００１５】
第１の態様の考えられる第１０の実装形態では、マルチモードブロードバンドアンテナモジュールは、少なくとも１つの屈曲部を有するストリップ構造または直線ストリップ構造を有する第３の放射器をさらに含み、第３の放射器の一方の端部は、プリント回路基板の第２の接地端部に接続されている。
【００１６】
本発明の第１の態様の実施形態における技術的解決策は、プリント回路基板、第１の放射器、および第２の放射器を含むマルチモードブロードバンドアンテナモジュールを提供する。マルチモードブロードバンドアンテナモジュールの動作原理は、高次モードをもたらすように第１の放射器と第２の放射器との間に容量性結合効果を形成し、それにより、マルチモードブロードバンドアンテナモジュールの動作周波数を拡大させるという原理であり、さらに、マルチモードブロードバンドアンテナモジュールの厚さは、モバイルフォンなどのワイヤレス端末の薄型構造の要件を満たすように比較的小さい。
【００１７】
第２の態様では、本発明は、マルチモードブロードバンドアンテナモジュールおよびケース本体を含むワイヤレス端末を提供し、マルチモードブロードバンドアンテナモジュールは、ケース本体内に配置され、マルチモードブロードバンドアンテナモジュールは、プリント回路基板、第１の放射器、および第２の放射器を含み、
第１の放射器は、接続部分、低周波部分、および高周波部分を含み、第１の放射器の低周波部分は、第１の放射器の高周波部分に接続され、第１の放射器の接続部分の一方の端部は、第１の放射器の低周波部分と高周波部分との間のジョイントに接続され、他方の端部は、プリント回路基板の信号供給端部に電気的に接続されており、
第２の放射器は、接地部分、低周波部分、および高周波部分を含み、第２の放射器の低周波部分は、第２の放射器の高周波部分に接続され、第２の放射器の接地部分の一方の端部は、第２の放射器の低周波部分と高周波部分との間のジョイントに接続され、他方の端部は、プリント回路基板の第１の接地端部に電気的に接続されており、
第１の放射器と第２の放射器との間に容量性結合効果を形成するために、第１の放射器の低周波部分と第２の放射器の低周波部分との間に第１の所定の距離が存在し、第１の放射器の高周波部分と第２の放射器の高周波部分との間に第２の所定の距離が存在する。
【００１８】
第２の態様の考えられる第１の実装形態では、第２の放射器の接地部分は、インダクタを介してプリント回路基板の第１の接地端部に電気的に接続されている。
【００１９】
第２の態様の考えられる第２の実装形態では、第１の放射器の接続部分は、平板構造またはストリップ構造を有し、第２の放射器の接地部分は、平板構造またはストリップ構造を有する。
【００２０】
第２の態様の考えられる第３の実装形態では、第１の放射器の低周波部分は、少なくとも１つの屈曲部を有するストリップ構造を有し、第１の放射器の高周波部分は、平板構造を有し、第１の放射器の低周波部分の電気的長さは、第１の放射器の高周波部分の電気的長さよりも大きい。
【００２１】
第２の態様の考えられる第４の実装形態では、第１の放射器の低周波部分は、平板構造を有し、第１の放射器の高周波部分は、少なくとも１つの屈曲部を有するストリップ構造を有し、第１の放射器の低周波部分の電気的長さは、第１の放射器の高周波部分の電気的長さよりも大きい。
【００２２】
第２の態様の考えられる第５の実装形態では、第２の放射器の低周波部分および第２の放射器の高周波部分は、各々、プレート構造またはストリップ構造を有し、プレート構造またはストリップ構造は、少なくとも１つの屈曲部を有し、第２の放射器の低周波部分は、第１の放射器の低周波部分の周りにあり、第２の放射器の高周波部分は、第１の放射器の高周波部分の周りにあり、第２の放射器の低周波部分の電気的長さは、第２の放射器の高周波部分の電気的長さよりも大きい。
【００２３】
第２の態様の考えられる第６の実装形態では、第１の放射器の低周波部分および高周波部分は、この２つの間のジョイントの両側に対称に分布し、第１の放射器の低周波部分および高周波部分は、共に、平面Ｔ字形プレート構造または直線ストリップ構造を形成する。
【００２４】
第２の態様の考えられる第７の実装形態では、第２の放射器の低周波部分および高周波部分は、この２つの間のジョイントの両側に対称に分布し、第２の放射器の低周波部分および高周波部分は、各々、ストリップ構造またはプレート構造を有し、ストリップ構造またはプレート構造は、この２つの間のジョイントからある距離にわたって延び、第１の放射器の方向に向かって屈曲しており、
第２の放射器の低周波部分の屈曲部によって形成された開口部は、第２の放射器の高周波部分の屈曲部によって形成された開口部と向かい合う。
【００２５】
第２の態様の考えられる第８の実装形態では、第２の放射器の低周波部分および高周波部分の少なくとも１つの構成部分は、第１の放射器と同じ平面に配置される。
【００２６】
第２の態様の考えられる第９の実装形態では、第１の放射器と同じ平面に配置された第２の放射器の低周波部分の構成部分と、第２の放射器の低周波部分の別の構成部分との間に、９０度の角度が存在する。
【００２７】
第２の態様の考えられる第１０の実装形態では、マルチモードブロードバンドアンテナモジュールは、屈曲ストリップ構造または直線ストリップ構造を有する第３の放射器をさらに含み、第３の放射器の一方の端部は、プリント回路基板の第２の接地端部に接続されている。
【００２８】
本発明の第２の態様の実施形態における技術的解決策は、ワイヤレス端末を提供し、マルチモードブロードバンドアンテナモジュールが、ワイヤレス端末のケース本体内に配置され、マルチモードブロードバンドアンテナモジュールは、プリント回路基板、第１の放射器、および第２の放射器を含む。マルチモードブロードバンドアンテナモジュールの動作原理は、高次モードをもたらすように第１の放射器と第２の放射器との間に容量性結合効果を形成し、それにより、マルチモードブロードバンドアンテナモジュールの動作周波数を拡大させるという原理であり、さらに、マルチモードブロードバンドアンテナモジュールの厚さは、モバイルフォンなどのワイヤレス端末の薄型構造の要件を満たすように比較的小さい。
【００２９】
本発明の実施形態における技術的解決策をより明確に説明するために、実施形態を説明するのに必要な添付の図面を以下に簡単に紹介する。明らかに、以下の説明における添付の図面は、本発明の実施形態の一部を示しているにすぎず、当業者は、創造的努力なしに、これらの添付の図面に照らして他の図面を得ることもできる。
【図面の簡単な説明】
【００３０】
【図１】本発明の一実施形態によるマルチモードブロードバンドアンテナモジュールの第１の概略構造図である。
【図２】本発明の一実施形態によるマルチモードブロードバンドアンテナモジュールの第２の概略構造図である。
【図３】本発明の一実施形態による第１のマルチモードブロードバンドアンテナモジュールの第１の概略構造図である。
【図４】本発明の一実施形態による第１のマルチモードブロードバンドアンテナモジュールの第２の概略構造図である。
【図５】本発明の一実施形態による第１のマルチモードブロードバンドアンテナモジュールの第３の概略構造図である。
【図６】本発明の一実施形態による第１のマルチモードブロードバンドアンテナモジュールの第４の概略構造図である。
【図７】本発明の一実施形態による第１のマルチモードブロードバンドアンテナモジュールの反射減衰量のシミュレーションのグラフである。
【図８】本発明の一実施形態による第２のマルチモードブロードバンドアンテナモジュールの概略構造図である。
【図９】本発明の一実施形態による、第１のマルチモードブロードバンドアンテナモジュールの反射減衰量と第２のマルチモードブロードバンドアンテナモジュールの反射減衰量とのシミュレーションの比較グラフである。
【図１０】本発明の一実施形態による第３のマルチモードブロードバンドアンテナモジュールの第１の概略構造図である。
【図１１】本発明の一実施形態による第３のマルチモードブロードバンドアンテナモジュールの第２の概略構造図である。
【図１２】本発明の一実施形態による第３のマルチモードブロードバンドアンテナモジュールの第３の概略構造図である。
【図１３】本発明の一実施形態による第３のマルチモードブロードバンドアンテナモジュールの反射減衰量のシミュレーションのグラフである。
【図１４】本発明の一実施形態による第４のマルチモードブロードバンドアンテナモジュールの第１の概略構造図である。
【図１５】本発明の一実施形態による第４のマルチモードブロードバンドアンテナモジュールの第２の概略構造図である。
【図１６】本発明の一実施形態による第４のマルチモードブロードバンドアンテナモジュールの第３の概略構造図である。
【図１７】本発明の一実施形態による第４のマルチモードブロードバンドアンテナモジュールの反射減衰量のシミュレーションのグラフである。
【図１８】本発明の一実施形態による第５のマルチモードブロードバンドアンテナモジュールの第１の概略構造図である。
【図１９】本発明の一実施形態による第５のマルチモードブロードバンドアンテナモジュールの第２の概略構造図である。
【図２０】本発明の一実施形態による第５のマルチモードブロードバンドアンテナモジュールの第３の概略構造図である。
【図２１】本発明の一実施形態による第５のマルチモードブロードバンドアンテナモジュールの第４の概略構造図である。
【図２２】本発明の一実施形態による、第３のマルチモードブロードバンドアンテナモジュールの反射減衰量と第５のマルチモードブロードバンドアンテナモジュールの反射減衰量とのシミュレーションの比較グラフである。
【図２３】本発明の一実施形態によるワイヤレス端末の概略構造図である。
【発明を実施するための形態】
【００３１】
以下には、本発明の実施形態における添付の図面を参照して、本発明の実施形態における技術的解決策について明確に説明する。明らかに、説明される実施形態は、本発明の実施形態のすべてではなく一部にすぎない。本発明の実施形態に基づいて創造的努力なしに当業者が得る他のすべての実施形態は、本発明の保護範囲内にあるものとする。
【００３２】
実施形態１
本発明の一実施形態は、プリント回路基板１、第１の放射器２、および第２の放射器３を含むマルチモードブロードバンドアンテナモジュールを提供し、
第１の放射器２は、接続部分２１、低周波部分２２、および高周波部分２３を含み、第１の放射器の低周波部分２２は、第１の放射器の高周波部分２３に接続され、第１の放射器の接続部分２１の一方の端部は、第１の放射器の低周波部分２２と高周波部分２３との間のジョイントに接続され、他方の端部は、プリント回路基板１の信号供給端部１１に電気的に接続されており、
第２の放射器３は、接地部分３１、低周波部分３２、および高周波部分３３を含み、第２の放射器の低周波部分３２は、第２の放射器の高周波部分３３に接続され、第２の放射器の接地部分３１の一方の端部は、第２の放射器の低周波部分３２と高周波部分３３との間のジョイントに接続され、他方の端部は、プリント回路基板１の第１の接地端部１２に電気的に接続されている。
【００３３】
図１に示すように、３つ、すなわち、第１の放射器２、第２の放射器３、およびプリント回路基板１は、共に、マルチモードブロードバンドアンテナモジュールを形成する。ワイヤレス端末の通信信号は、マルチモードブロードバンドアンテナモジュールを介して送信および受信される。
【００３４】
ワイヤレス端末が信号を送信するとき、通信信号は、プリント回路基板１上に配置され無線周波数回路およびベースバンド回路によって形成された通信モジュールによって処理され、高周波電流に変換されるが、高周波電流は、プリント回路基板１上の信号供給端部１１を介してアンテナモジュールに入り、次いで、電磁波の形態で放射される。
【００３５】
ワイヤレス端末が信号を受信するとき、ワイヤレス端末の外部空間からの電磁波信号は、マルチモードブロードバンドアンテナモジュールによって受信され、高周波電流に変換され、プリント回路基板１の信号供給端部１１を介して、プリント回路基板１上に配置された通信モジュールに入る。通信モジュールは、通信を正常に行うことができるように、主として無線周波数回路およびベースバンド回路によって形成される。
【００３６】
第１の放射器と第２の放射器との間に容量性結合効果を形成するために、第１の放射器の低周波部分２２と第２の放射器の低周波部分３２との間に第１の所定の距離が存在し、第１の放射器の高周波部分２３と第２の放射器の高周波部分３３との間に第２の所定の距離が存在し、第１の所定の距離と第２の所定の距離のどちらも、実状に応じて設計および調整される必要があり、この２つは、同じでもよいし、異なってもよいことに留意されたい。
【００３７】
従来技術では、アンテナモジュールは、通常、プリント回路基板１および第１の放射器２のみを含む。アンテナモジュールがプリント回路基板１および第１の放射器２のみを含む場合、アンテナモジュールの動作周波数バンドは、アンテナモジュールの第１の放射器の高周波部分２３、低周波部分２２、および接続部分２１の電気的長さによって決定される。具体的には、アンテナモジュールの高周波部分２３の電気的長さと接続部分２１の電気的長さとの和が、アンテナモジュールの高周波共振波長の１／４となる。同様に、アンテナモジュールの低周波部分２２の電気的長さと接続部分２１の電気的長さとの和が、アンテナモジュールの低周波共振波長の１／４となる。この場合、アンテナモジュールは、高周波共振波長に対応する共振周波数および低周波共振波長に対応する共振周波数の周りでのみ動作することができる。この場合、明らかに、マルチモードブロードバンドアンテナモジュールの動作バンド幅は、比較的小さい。
【００３８】
具体的には、図２に示すように、第１の放射器の低周波部分２２の電気的長さは、ａ＋ｂとなり、接続部分の電気的長さはｆ＋ｃとなり、その結果、第１の放射器２の低周波共振波長は、４×［（ａ＋ｂ）＋（ｆ＋ｃ）］となる。同様に、第１の放射器の高周波部分２３の電気的長さは、ｄ＋ｅとなり、その結果、第１の放射器２の高周波共振波長は、４×［（ｄ＋ｅ）＋（ｆ＋ｃ）］となる。
【００３９】
本発明の実施形態におけるマルチモードブロードバンドアンテナモジュールは、プリント回路基板１および第１の放射器２に加えて、第２の放射器３をさらに含み、第１の放射器の低周波部分２２は、第２の放射器の低周波部分３２に近く、第１の放射器の高周波部分２３は、第２の放射器の高周波部分３３に近い。第２の放射器の低周波部分３２が第１の放射器の低周波部分２２に近いので、第１の放射器の低周波部分２２上に低周波信号が存在するとき、第１の放射器の低周波部分２２および第２の放射器の低周波部分３２は、高次モードをもたらすように容量性結合効果を形成し、それにより、マルチモードブロードバンドアンテナモジュールの動作周波数バンドを拡大させ、動作周波数レンジを拡大させる。
【００４０】
同様に、第２の放射器の高周波部分３３が第１の放射器の高周波部分２３に近いので、第１の放射器の高周波部分２３上に高周波信号が存在するとき、第１の放射器の高周波部分２３および第２の放射器の高周波部分３３は、高次モードをもたらすように容量性結合効果を形成し、それにより、マルチモードブロードバンドアンテナモジュールの動作周波数バンドを拡大させ、動作周波数レンジを拡大させる。
【００４１】
マルチモードブロードバンドアンテナモジュールの動作原理は、第１の放射器２と第２の放射器３との間の容量性結合効果に基づいてアンテナモジュールの動作バンド幅が拡大されるという原理なので、マルチモードブロードバンドアンテナモジュールの厚さは、特定のアーキテクチャおよびワイヤレス端末の厚さ要件に応じて設計および調整することができるが、マルチモード条件を満たす動作周波数でマルチモードブロードバンドアンテナモジュールが動作することができるように、関係する技術者が、第１の放射器２の構成部分と第２の放射器３の構成部分との間の距離を厳密に調整する必要があることに留意されたい。
【００４２】
通常、ワイヤレス端末がマルチモードブロードバンドアンテナモジュールの厚さに関する厳密な要件を有するとき、マルチモードブロードバンドアンテナモジュールの放射指標を満たすという前提のもとで、マルチモードブロードバンドアンテナモジュールの全厚は、約４〜５ミリメートルに制御することができ、その結果、マルチモードブロードバンドアンテナモジュールが配置されたワイヤレス端末の厚さを低減させることができ、最終的に、ワイヤレス端末の厚さは、１センチメートル未満となり、ワイヤレス端末が軽量で薄型になるという傾向に適合する。
【００４３】
さらに、マルチモードブロードバンドアンテナモジュールの動作周波数バンドは、マルチモードブロードバンドアンテナモジュールの第１の放射器２の厚さまたは第２の放射器３の厚さをランダムに設定することができるように、第１の放射器２の長さおよび第２の放射器３の長さ、または第１の放射器２と第２の放射器３との間の距離を調整することによってのみ調整することができ、製造プロセスにおける第１の放射器２または第２の放射器３の材料使用量を低減させるために、第１の放射器２の厚さまたは第２の放射器３の厚さをできる限り低減させることができる。同様に、第１の放射器２または第２の放射器３の材料使用量をさらに低減させるために、第１の放射器２の幅および第２の放射器３の幅もランダムに設定することができる。
【００４４】
ユーザが電話をかけるためにモバイルフォンなどのワイヤレス端末を使用するとき、ユーザの頭がワイヤレス端末のアンテナモジュールに近いので、ワイヤレス端末の送受信性能は低減され、その結果、ワイヤレス端末全体の放射に関する送受信性能は低減される。ワイヤレス端末を研究および開発するプロセスにおいて、研究および開発に関わる技術者は、ワイヤレス端末の送受信性能に対する人間の頭の影響を定量的に測定し、ワイヤレス端末の送受信性能に対する人間の頭の影響を低減させるように、すなわち、人体とアンテナモジュールとの間の電磁結合を低減させるようにワイヤレス端末を最適に設計する。
【００４５】
それに加えて、ユーザがモバイルフォンなどのワイヤレス端末を使用するとき、ユーザは、常に、ワイヤレス端末を保持する手を替え、ユーザがワイヤレス端末を保持するために左手を使用する際のワイヤレス端末の送受信性能に対する左手の影響は、ユーザがワイヤレス端末を保持するために右手を使用する際のワイヤレス端末の送受信性能に対する右手の影響と異なる可能性がある。ワイヤレス端末の送受信性能が大いに影響を受けるとき、ワイヤレス端末の通信能力は低減される可能性があり、ワイヤレス端末に関するユーザのユーザエクスペリエンスは低減される。
【００４６】
本発明の実施形態において、信号供給端部は、ユーザがワイヤレス端末を保持するために左手を使用するか、または右手を使用するかにかかわらず、ワイヤレス端末の信号送受信能力があまり影響を受けないように、プリント回路基板の端部の中間位置に設定することができ、ユーザのユーザエクスペリエンスは、より十分になり、すなわち、ワイヤレス端末は、より十分な頭・手擬似効果（ｈｅａｄ−ｈａｎｄ  ｓｉｍｕｌａｔｉｏｎ  ｅｆｆｅｃｔ）を有する。
【００４７】
通常、本発明の実施形態において提供されるマルチモードブロードバンドアンテナモジュールが占める空間領域は、長さが６０ミリメートル、幅が１０ミリメートル、高さが５ミリメートルとなる。空間領域の長さは、プリント回路基板１の側面の長さに等しく、マルチモードブロードバンドアンテナモジュールは、プリント回路基板１の側面上に配置され、プリント回路基板１の他の側面の長さは、約１００ミリメートルとなる。
【００４８】
本発明の実施形態における技術的解決策は、プリント回路基板、第１の放射器、および第２の放射器を含むマルチモードブロードバンドアンテナモジュールを提供する。マルチモードブロードバンドアンテナモジュールの動作原理は、高次モードをもたらすように第１の放射器と第２の放射器との間に容量性結合効果を形成し、それにより、マルチモードブロードバンドアンテナモジュールの動作周波数を拡大させるという原理であり、さらに、マルチモードブロードバンドアンテナモジュールの厚さは、モバイルフォンなどのワイヤレス端末の薄型構造の要件を満たすように比較的小さい。
【００４９】
実施形態２
本発明の一実施形態は、図１に示すマルチモードブロードバンドアンテナモジュールを提供する。
【００５０】
このマルチモードブロードバンドアンテナモジュールは、プリント回路基板１、第１の放射器２、および第２の放射器３を含み、
第１の放射器２は、接続部分２１、低周波部分２２、および高周波部分２３を含み、第１の放射器の低周波部分２２は、第１の放射器の高周波部分２３に接続され、第１の放射器の接続部分２１の一方の端部は、第１の放射器の低周波部分２２と高周波部分２３との間のジョイントに接続され、他方の端部は、プリント回路基板１の信号供給端部１１に電気的に接続されており、
第２の放射器３は、接地部分３１、低周波部分３２、および高周波部分３３を含み、第２の放射器の低周波部分３２は、第２の放射器の高周波部分３３に接続され、第２の放射器の接地部分３１の一方の端部は、第２の放射器の低周波部分３２と高周波部分３３との間のジョイントに接続され、他方の端部は、プリント回路基板１の第１の接地端部１２に電気的に接続されている。
【００５１】
図１に示すように、３つ、すなわち、第１の放射器２、第２の放射器３、およびプリント回路基板１は、共にマルチモードブロードバンドアンテナモジュールを形成する。ワイヤレス端末の通信信号は、マルチモードブロードバンドアンテナモジュールを介して送信および受信される。
【００５２】
ワイヤレス端末が信号を送信するとき、通信信号は、プリント回路基板１上に配置され無線周波数回路およびベースバンド回路によって形成された通信モジュールによって処理され、高周波電流に変換されるが、高周波電流は、プリント回路基板１上の信号供給端部１１を介してアンテナモジュールに入り、次いで、電磁波の形態で放射される。
【００５３】
ワイヤレス端末が信号を受信するとき、ワイヤレス端末の外部空間からの電磁波信号は、マルチモードブロードバンドアンテナモジュールによって受信され、高周波電流に変換され、プリント回路基板１の信号供給端部１１を介して、プリント回路基板１上に配置された通信モジュールに入る。通信モジュールは、通信を正常に行うことができるように、主として無線周波数回路およびベースバンド回路によって形成される。
【００５４】
第１の放射器と第２の放射器との間に容量性結合効果を形成するために、第１の放射器の低周波部分２２と第２の放射器の低周波部分３２との間に第１の所定の距離が存在し、第１の放射器の高周波部分２３と第２の放射器の高周波部分３３との間に第２の所定の距離が存在し、第１の所定の距離と第２の所定の距離のどちらも、実状に応じて設計および調整される必要があり、この２つは、同じでもよいし、異なってもよいことに留意されたい。
【００５５】
マルチモードブロードバンドアンテナモジュールの動作周波数バンドを拡大させる動作原理は、アンテナモジュールの動作バンド幅を拡大させるために第１の放射器２の電気的長さを確保することに基づく、第１の放射器２と第２の放射器３との間の容量性結合効果に依存するので、マルチモードブロードバンドアンテナモジュールの厚さは、特定のアーキテクチャおよびワイヤレス端末の厚さ要件に応じて設計および調整することができるが、マルチモードブロードバンドアンテナモジュールがマルチモード条件を満たす動作周波数で動作することができるように、関係する技術者が第１の放射器２の構成部分と第２の放射器３の構成部分との間の距離を厳密に調整する必要がある。
【００５６】
概して、ワイヤレス端末がマルチモードブロードバンドアンテナモジュールの厚さに関して厳密な要件を有するとき、マルチモードブロードバンドアンテナモジュールの放射指標を満たすという前提のもとで、マルチモードブロードバンドアンテナモジュールの全厚は、約４〜５ミリメートルに制御することができ、その結果、マルチモードブロードバンドアンテナモジュールが配置されたワイヤレス端末の厚さを低減させることができ、最終的に、ワイヤレス端末の厚さは、１センチメートル未満となり、ワイヤレス端末が軽量で薄型になるという傾向に適合する。
【００５７】
本発明の実施形態は、次のような、上記のマルチモードブロードバンドアンテナモジュールの複数の特定の実装形態をさらに提供する。
【００５８】
図３は、第１のマルチモードブロードバンドアンテナモジュールの第１の特定の構造を示し、第１のマルチモードブロードバンドアンテナモジュールの特定の構造は、次のようになる。
【００５９】
第１の放射器の低周波部分２２は、少なくとも１つの屈曲部を有するストリップ構造を有し、第１の放射器の高周波部分２３は、平板構造を有し、第１の放射器の低周波部分２２の電気的長さは、第１の放射器の高周波部分２３の電気的長さよりも大きい。
【００６０】
第２の放射器の低周波部分３２および第２の放射器の高周波部分３３は、各々、少なくとも１つの屈曲部を有するプレート構造を有し、第２の放射器の低周波部分３２は、第１の放射器の低周波部分２２の周りにあり、第２の放射器の高周波部分３３は、第１の放射器の高周波部分２３の周りにあり、第２の放射器の低周波部分３２の電気的長さは、第２の放射器の高周波部分３３の電気的長さよりも大きい。
【００６１】
アンテナモジュールがプリント回路基板１および第１の放射器２のみを含む場合、アンテナモジュールの動作周波数バンドは、アンテナモジュールの第１の放射器の高周波部分２３、低周波部分２２、および接続部分２１の電気的長さによって決定される。具体的には、アンテナモジュールの高周波部分２３の電気的長さと接続部分２１の電気的長さとの和が、アンテナモジュールの高周波共振波長の１／４となる。同様に、アンテナモジュールの低周波部分２２の電気的長さと接続部分２１の電気的長さとの和が、アンテナモジュールの低周波共振波長の１／４となる。この場合、アンテナモジュールは、高周波共振波長に対応する共振周波数および低周波共振波長に対応する共振周波数の周りでのみ動作することができる。この場合、明らかに、マルチモードブロードバンドアンテナモジュールの動作バンド幅は、比較的小さい。
【００６２】
具体的には、図４に示すように、第１の放射器の高周波部分２３の電気的長さは、ｎ＋ｏとなり、接続部分２１の電気的長さはｇ＋ｈとなり、その結果、第１の放射器２の高周波共振波長は、４×［（ｎ＋ｏ）＋（ｇ＋ｈ）］となる。同様に、第１の放射器の低周波部分２２の電気的長さは、ｉ＋ｊ＋ｋ＋ｌ＋ｍとなり、その結果、第１の放射器２の低周波共振波長は、４×［（ｉ＋ｊ＋ｋ＋ｌ＋ｍ）＋（ｇ＋ｈ）］となる。
【００６３】
本発明の実施形態におけるマルチモードブロードバンドアンテナモジュールは、プリント回路基板１および第１の放射器２に加えて、第２の放射器３をさらに含み、第１の放射器の低周波部分２２は、第２の放射器の低周波部分３２に近く、第１の放射器の高周波部分２３は、第２の放射器の高周波部分３３に近い。第２の放射器の低周波部分３２が第１の放射器の低周波部分２２に近いので、第１の放射器の低周波部分２２上に低周波信号が存在するとき、第１の放射器の低周波部分２２および第２の放射器の低周波部分３２は、高次モードをもたらすように容量性結合効果を形成し、それにより、マルチモードブロードバンドアンテナモジュールの動作周波数バンドを拡大させ、動作周波数レンジを拡大させる。
【００６４】
具体的には、第１のマルチモードブロードバンドアンテナモジュールの特定の構造では、第１の放射器の低周波部分２２と第２の放射器の低周波部分３２との間の距離はｅ１であり、ｅ１は約０．５ミリメートルとなり、第１の放射器の高周波部分２３と第２の放射器の高周波部分３３との間の距離はｅ２であり、ｅ２は約３ミリメートルとなる。
【００６５】
端末のサイズが比較的小さい必要があるとき、アンテナのある部分に複数の屈曲部を設定することができ、アンテナの電気的長さ全体は、アンテナの共振波長をさらに維持するように、アンテナのサイズが比較的小さくなることを確実にするという前提のもとで維持される。
【００６６】
さらに、第１のマルチモードブロードバンドアンテナモジュールの第２の放射器３は、図５に示すように、少なくとも１つの屈曲部を有するストリップ構造を有することもできる。
【００６７】
同様に、第２の放射器３の形状、長さ、および位置が変化しない場合、第１の放射器２の低周波部分２２および第１の放射器の高周波部分２３の構造および形状をランダムに設定することができるが、ランダムに設定することの前提は、第１の放射器の低周波部分２２の長さを第１の放射器の高周波部分２３の長さの２倍に維持し、第１の放射器２と第２の放射器３との間の容量性結合効果の結果が変化しないことを確実にすることである。たとえば、第１の放射器の低周波部分２２の形状は、高周波部分２３の形状と交換され、すなわち、図６に示すように、第１の放射器の低周波部分２２が、平板構造を有し、第１の放射器の高周波部分２３が、少なくとも１つの屈曲部を有するストリップ構造を有する。
【００６８】
本発明の実施形態では、マルチモードブロードバンドアンテナモジュールの動作周波数バンドが、設計者の要求を満たすことができるように、第１のマルチモードブロードバンドアンテナモジュールの第１の放射器の低周波部分２２の長さが、第１の放射器の高周波部分２３の長さの約２倍となることを確実にする必要があることに留意されたい。
【００６９】
さらに、図７に示すように、第１のマルチモードブロードバンドアンテナモジュールの最小低周波動作周波数（ここで、反射減衰量は−６ｄＢ（デシベル）未満である）は、約８２４ＭＨｚ（メガヘルツ）に達する可能性があり、低周波数動作バンド幅は、８２４ＭＨｚ〜約１２００ＭＨｚである。このマルチモードブロードバンドアンテナモジュールの最大高周波動作周波数（ここで、反射減衰量は−６ｄＢ（デシベル）未満である）は、約２５００ＭＨｚ（メガヘルツ）に達する可能性があり、高周波数動作バンド幅は、約１６００ＭＨｚ〜約２５００ＭＨｚである。
【００７０】
現段階において商用で一般に使用される周波数バンドには、合計で８つの周波数バンド、すなわち、グローバルシステムフォーモバイルコミュニケーションズ（Ｇｌｏｂａｌ  Ｓｙｓｔｅｍ  ｏｆ  Ｍｏｂｉｌｅ  ｃｏｍｍｕｎｉｃａｔｉｏｎ、略してＧＳＭ（登録商標））、ＧＳＭ（登録商標）８５０（８２４ＭＨｚ〜８９４ＭＨｚ）およびＧＳＭ（登録商標）９００（８８０ＭＨｚ〜９６０ＭＨｚ）、グローバルポジショニングシステム（Ｇｌｏｂａｌ  Ｐｏｓｉｔｉｏｎｉｎｇ  Ｓｙｓｔｅｍ、略してＧＰＳ）（１５７５ＭＨｚ）、デジタルビデオブロードキャスティング（Ｄｉｇｉｔａｌ  Ｖｉｄｅｏ  Ｂｒｏａｄｃａｓｔｉｎｇ−Ｈａｎｄｈｅｌｄ、略してＤＶＢ−Ｈ）（１６７０ＭＨｚ〜１６７５ＭＨｚ）、データ通信サブシステム（Ｄａｔａ  Ｃｏｍｍｕｎｉｃａｔｉｏｎ  Ｓｕｂｓｙｓｔｅｍ、略してＤＣＳ）（１７１０ＭＨｚ〜１８８０ＭＨｚ）、およびパーソナル通信サービス（Ｐｅｒｓｏｎａｌ  Ｃｏｍｍｕｎｉｃａｔｉｏｎｓ  Ｓｅｒｖｉｃｅ、略してＰＣＳ）（１９００ＭＨｚ）、ユニバーサルモバイルテレコミュニケーションシステム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、略してＵＭＴＳ）または第３世代モバイル通信技術（第３世代、略して３Ｇ）（１９２０ＭＨｚ〜２１７５ＭＨｚ）、ならびにブルートゥースまたはワイヤレスローカルエリアネットワーク（Ｗｉｒｅｌｅｓｓ  Ｌｏｃａｌ  Ａｒｅａ  Ｎｅｔｗｏｒｋ、略してＷＬＡＮ）８０２．１１ｂ／ｇ（２４００ＭＨｚ〜２４８４ＭＨｚ）が含まれることがよく知られている。本発明の実施形態において提供されるマルチモードブロードバンドアンテナモジュールの動作周波数バンドは、本発明の実施形態におけるマルチモードブロードバンドアンテナモジュールが動作周波数バンドにおけるほとんどのワイヤレス端末サービスの要件を満たすことができるように、上記の８つの周波数バンドを完全にカバーすることができることがわかる。
【００７１】
それに加えて、ロングタームエボリューション（Ｌｏｎｇ  Ｔｅｒｍ  Ｅｖｏｌｕｔｉｏｎ、略してＬＴＥ）プロジェクトが、現在話題の動作周波数バンドであり、ＬＴＥの研究は、待機時間の低減、より高いユーザデータ速度、システム容量およびカバー範囲の改善、ならびに運用コストの低減などの、概して極めて重要と思われるいくつかの部分を含む。ＬＴＥの動作周波数バンドは、６９８ＭＨｚ〜９６０ＭＨｚおよび１７１０ＭＨｚ〜２７００ＭＨｚである。
【００７２】
マルチモードブロードバンドアンテナモジュールの動作周波数バンドの低周波数は、６９８ＭＨｚをカバーすることができないことが図７からわかるが、図７は、マルチモードブロードバンドアンテナモジュールの反射減衰量のシミュレーション図であり、マルチモードブロードバンドアンテナモジュールは、ケース本体の機能を有するモバイルフォンなどのワイヤレス端末のケース本体内に配置されるので、マルチモードブロードバンドアンテナモジュールの動作周波数バンドを全体的に低周波数バンドにオフセットすることができ、その結果、次に具体的に示すように、低周波数は、ＬＴＥの６９８ＭＨｚの動作周波数バンドをカバーすることができることに留意されたい。
【００７３】
電磁波に関して、次の公式が存在することがよく知られている。
【００７４】
ν＝ｃ０／（√（εｒ））
【００７５】
ここで、νは、ある媒体中の電磁波の伝送速度を示し、εγは、ケース本体の誘電率を示し、ｃ０は、真空中の光速すなわち電磁波の伝送速度を示し、一定である。
【００７６】
それに加えて、電磁波に関して、次の公式がさらに存在する。
ν＝λε・ｆε
ここで、λεは、マルチモードブロードバンドアンテナモジュールの共振電磁波の波長を示し、ｆεは、マルチモードブロードバンドアンテナモジュールの共振電磁波の周波数を示し、上記の２つの公式に従って、次の公式が存在する。
【００７７】
λε・ｆε＝ｃ０／（√（εｒ））
【００７８】
および
【００７９】
λε・ｆε・（√（εｒ））＝ｃ０
【００８０】
が、調整後に得られる。
【００８１】
ｃ０は一定であり、λεは、マルチモードブロードバンドアンテナモジュールの共振電磁波の波長であり、マルチモードブロードバンドアンテナモジュールのサイズと直接関係があるので、マルチモードブロードバンドアンテナモジュールのサイズが固定されると、マルチモードブロードバンドアンテナモジュールのλεも固定される。したがって、λεも一定である。
【００８２】
さらに、ワイヤレス端末の場合の
【００８３】
√（εｒ）
【００８４】
は、概して、真空のそれよりも大きく、等号の両側を等しくするために、ｆεを低減しなければならず、すなわち、共振周波数は低周波数にオフセットされ、すなわち、マルチモードブロードバンドアンテナモジュールの反射減衰量曲線全体が、左にオフセットされる。
【００８５】
したがって、マルチモードブロードバンドアンテナモジュールの動作周波数バンドは、ＬＴＥの動作周波数バンドをカバーすることができる。
【００８６】
第１のマルチモードブロードバンドアンテナモジュールの第１の放射器の低周波部分２２と第２の放射器の低周波部分３２との間の距離は、約０．５ミリメートルとなり、第１の放射器の高周波部分２３と第２の放射器の高周波部分３３との間の距離は、約２〜３ミリメートルとなることに留意されたい。
【００８７】
図８に示すように、図３において提供される第１のマルチモードブロードバンドアンテナモジュールに基づいて、マルチモードブロードバンドアンテナモジュールの第２の放射器３は、インダクタ４を介して第１の接地端部１２にさらに電気的に接続することができ、第２のマルチモードブロードバンドアンテナモジュールとなる。
【００８８】
インダクタ４は、第２の放射器３上に配置され、第２の放射器３の電気的長さを効果的に増加させることができ、第２の放射器３の低周波共振周波数および高周波共振周波数をさらに低減させる。第１のマルチモードブロードバンドアンテナモジュールが、第２のマルチモードブロードバンドアンテナモジュールと同じサイズを有する場合、図９に一点鎖線で示すように、インダクタ４が配置された第２のマルチモードブロードバンドアンテナモジュールの最小動作周波数は、８００ＭＨｚ未満である。同様に、最大動作周波数も低減される。これは、端末のサイズに対する要求が高いとき、動作バンド幅要件を満たす場合に、マルチモードブロードバンドアンテナモジュールのサイズ全体をさらに低減させるために、インダクタンス値が適切であるインダクタ４を使用することができる。通常、インダクタ４は、第２の放射器３の底部に配置することができ、徐々に軽量で薄型になっているワイヤレス端末の要件をマルチモードブロードバンドアンテナモジュールがより十分に満たすことができるように、マルチモードブロードバンドアンテナモジュールのサイズを低減する関数を達成することができる。
【００８９】
本発明の実施形態は、第３のマルチモードブロードバンドアンテナモジュールをさらに提供する。図１０または図１１に示すように、第３のマルチモードブロードバンドアンテナモジュールの特定の構造は、次のようになる。
【００９０】
第１の放射器は、平板「Ｔ」字形構造を有し、第１の放射器の低周波部分２２および高周波部分２３は、同じ形状を有し、この２つの間のジョイントの両側に対称に分布する。
【００９１】
一方、第２の放射器の低周波部分３２および高周波部分３３は、同じ形状を有し、この２つの間のジョイントの両側に対称に分布し、第２の放射器の低周波部分３２および高周波部分３３は、各々、この２つの間のジョイントからある距離にわたって延びるプレート構造を有し、第１の放射器２の方向に向かって屈曲する。
【００９２】
図１１に示すように、第３のマルチモードブロードバンドアンテナモジュールの第１の放射器２の接続部分２１の電気的長さはｐとなり、図１０に示すように、第１の放射器の高周波部分２３の電気的長さは、ｒ＋ｓ＋ｔとなり、その結果、第１の放射器の高周波共振波長は、４×［（ｒ＋ｓ＋ｔ）＋ｐ］となり、第１の放射器の高周波部分２３および低周波部分２２は、対称構造を有するので、第１の放射器の低周波共振波長は、４×［（ｒ＋ｓ＋ｔ）＋ｐ］となり、すなわち、第１の放射器の高周波部分２３の動作周波数バンドと低周波部分２２の動作周波数バンドとは一致する。この場合、第３のマルチモードブロードバンドアンテナモジュールの動作周波数バンドレンジは、比較的小さい。
【００９３】
したがって、第３のマルチモードブロードバンドアンテナモジュールの動作周波数バンドを拡大させるために、第２の放射器３と第１の放射器２との間の距離により生成される容量性結合効果を使用する必要がある。
リメートルとなることに留意されたい。
【００９４】
この場合、第１の放射器の低周波部分２２と第２の放射器の低周波部分３２との間の距離ｅ１は、約０．５ミリメートルとなり、構造が対称構造なので、第１の放射器の高周波部分２３と第２の放射器の高周波部分３３との間の距離ｅ２も約０．５ミリメートルとなる。図１３は、マルチモードブロードバンドアンテナモジュールの反射減衰量のシミュレーション図を示し、ここで、マルチモードブロードバンドアンテナモジュールの低周波動作周波数バンド（ここで、反射減衰量は−６ｄＢ（デシベル）未満である）は、約８００〜約１１００ＭＨｚであり、高周波動作周波数バンド（ここで、反射減衰量は−６ｄＢ（デシベル）未満である）は、約１９００ＭＨｚ〜約２５００ＭＨｚである。
【００９５】
具体的には、第２の放射器の低周波部分３２の屈曲部によって形成された開口部は、第２の放射器の高周波部分３３の屈曲部によって形成された開口部と向かい合う。さらに、第２の放射器の低周波部分３２および高周波部分３３の少なくとも一方の構成部分は、第１の放射器２とほぼ同じ平面に配置される。
【００９６】
さらに、便利な製造工程、簡単な手直し、および美的構造などの因子を考慮して、第１の放射器２と同じ平面に配置された第２の放射器の低周波部分３２の構成部分と、第２の放射器の低周波部分３２の別の構成部分との間に、約９０度の角度が存在する。
【００９７】
同様に、第２の放射器の低周波部分３２および高周波部分３３は、図１２に示すように、ストリップ構造を有することもできる。
【００９８】
さらに、本発明の実施形態は、第４のマルチモードブロードバンドアンテナモジュールをさらに提供し、第４のマルチモードブロードバンドアンテナモジュールの第１の放射器の低周波部分２２および高周波部分２３は、共に、直線ストリップ構造を形成しており、第４のマルチモードブロードバンドアンテナモジュールの第１の放射器の低周波部分２２および高周波部分２３は、同じ形状を有し、この２つの間のジョイントの両側に対称に分布する。
【００９９】
一方、第２の放射器の低周波部分３２および高周波部分３３は、同じ形状を有し、この２つの間のジョイントの両側に対称に分布しており、第２の放射器の低周波部分３２および高周波部分３３は、各々、この２つの間のジョイントからある距離にわたって延びるプレート構造を有し、第１の放射器２の方向に向かって屈曲する。
【０１００】
図１５に示すように、第４のマルチモードブロードバンドアンテナモジュールの第１の放射器２の接続部分２１の電気的長さはｕとなり、第１の放射器の高周波部分２３の電気的長さは、ｖ＋ｗとなり、その結果、第１の放射器の高周波共振波長は、４×［（ｖ＋ｗ）＋ｕ］となり、第１の放射器の高周波部分および低周波部分が対称構造を有するので、第１の放射器の低周波共振波長は、４×［（ｖ＋ｗ）＋ｕ］となる。
【０１０１】
同様に、マルチモードブロードバンドアンテナモジュールの動作周波数バンドを拡大させるために、第２の放射器と第１の放射器との間の距離により生成される容量性結合効果を使用する必要がある。
【０１０２】
この場合、第１の放射器の低周波部分２２と第２の放射器の低周波部分３２との間の距離ｅ１は、約０．５ミリメートルとなり、構造が対称構造なので、第１の放射器の高周波部分２３と第２の放射器の高周波部分３３との間の距離ｅ２も約０．５ミリメートルとなる。図１７は、第４のマルチモードブロードバンドアンテナモジュールの反射減衰量のシミュレーション図を示し、ここで、マルチモードブロードバンドアンテナモジュールの低周波動作周波数バンド（ここで、反射減衰量は−６ｄＢ（デシベル）未満である）は、約８５０ＭＨｚ〜約１１００ＭＨｚであり、高周波動作周波数バンド（ここで、反射減衰量は−６ｄＢ（デシベル）未満である）は、約１７００ＭＨｚ〜２３００ＭＨｚである。
【０１０３】
具体的には、第２の放射器の低周波部分３２の屈曲部によって形成された開口部は、第２の放射器の高周波部分３３の屈曲部によって形成された開口部と向かい合う。さらに、第２の放射器の低周波部分３２および高周波部分３３の少なくとも一方の構成部分は、第１の放射器２とほぼ同じ平面に配置される。
【０１０４】
さらに、便利な製造工程、簡単な手直し、および美的構造などの因子を考慮して、第１の放射器２と同じ平面に配置された第２の放射器の低周波部分３２の構成部分と、第２の放射器の低周波部分３２の別の構成部分との間に、約９０度の角度が存在する。
【０１０５】
同様に、第２の放射器の低周波部分３２および高周波部分３３は、図１６に示すように、ストリップ構造を有することもできる。
【０１０６】
第３または第４のマルチモードブロードバンドアンテナモジュールの動作周波数バンドの低周波数は、６９８ＭＨｚをカバーすることができないことが図１３または図１７からわかるが、マルチモードブロードバンドアンテナモジュールは、ケース本体の機能を有するモバイルフォンなどのワイヤレス端末のケース本体内に配置されるので、マルチモードブロードバンドアンテナモジュールの動作周波数バンドを全体的に低周波数バンドにオフセットすることができ、その結果、低周波数は、ＬＴＥの６９８ＭＨｚの動作周波数バンドをカバーすることができることに留意されたい。したがって、図１０および図１４に示す第３および第４のマルチモードブロードバンドアンテナモジュールの動作周波数バンドは、ＬＴＥの動作周波数バンドをカバーすることができる。
【０１０７】
図１８または図１９に示すように、第５のマルチモードブロードバンドアンテナモジュールである、図１０または図１１に示すマルチモードブロードバンドアンテナモジュールのプリント回路基板１の第２の接地端部１３に、第３の放射器５をさらに配置することができる。第３の放射器５は、少なくとも１つの屈曲部を有するストリップ構造を有することができ、第３の放射器５の一方の端部は、プリント回路基板１の第２の接地端部１３に接続されている。
【０１０８】
第３の放射器５は、マルチモードブロードバンドアンテナモジュールの動作周波数バンドをさらに拡大させるように構成され、第３の放射器５は、モノポールアンテナに相当し、第３の放射器５の共振周波数、すなわち第３の放射器５の動作周波数は、第３の放射器５の電気的長さによって決定され、通常、第３の放射器５の電気的長さは、第３の放射器５の動作周波数に対応する動作波長の１／４である。
【０１０９】
設計中、第３の放射器５の電気的長さは、マルチモードブロードバンドアンテナモジュールの動作バンド幅をさらに拡大させる機能を実現するために、第１の放射器２および第２の放射器３が動作することができない周波数に対応する電気的長さとすることができる。電磁波の波長が周波数に反比例するので、第３の放射器５の電気的長さは、第３の放射器５の動作周波数に対応する波長の１／４となり、第３の放射器５の動作周波数が小さくなるほど、第３の放射器５の電気的長さは大きくなるか、または、第３の放射器５の動作周波数が大きくなるほど、第３の放射器５の電気的長さは小さくなる。ワイヤレス端末のサイズの小型化を考慮して、概して、第３の放射器５のみが、高周波数バンドのバンド幅を拡大させるように構成され、この場合、第３の放射器５の電気的長さは、比較的小さい。たとえば、第３の放射器５の共振周波数は、約２ＧＨｚに設定され、この場合、第３の放射器５の長さは、約３７．５ミリメートルとなる。
【０１１０】
複数の屈曲部を有する構造を採用することにより、第３の放射器５は、第３の放射器５の長さに関する要件を満たすように、比較的小さい設定領域に比較的大きい長さを有することができる。
【０１１１】
それに加えて、図２０または図２１に示すように、設定領域が比較的大きいとき、第３の放射器５は、直線ストリップ構造を有することができる。
【０１１２】
通常、第３の放射器５、またはマルチモードブロードバンドアンテナモジュール全体でさえ、ワイヤレス端末内に配置されたアンテナ支持部上に取り付けられ、第３の放射器５は、放射器間の信号干渉を防ぐために、マルチモードブロードバンドアンテナモジュールから離れた別の構造内の場所に配置される。アンテナ支持部上に確保された領域が、第３の放射器５の要件を満たすことができないとき、第３の放射器５の別の端部は、ワイヤレス端末の遮蔽ケース本体上に取り付けられるように拡張することができる。
【０１１３】
図１８および図１９または図２０および図２１に示す第３の放射器５が、第１の放射器の高周波部分２３の近くに配置されるので、図２２における第５のマルチモードブロードバンドアンテナモジュールの反射減衰量曲線（一点鎖線）と、第３のマルチモードブロードバンドアンテナモジュールの反射減衰量曲線（実線）との間の比較から、第５のマルチモードブロードバンドアンテナモジュールの高周波数動作バンド幅が、第３のマルチモードブロードバンドアンテナモジュールの高周波数動作バンド幅よりも大きく、これは、第３の放射器５がアンテナの動作バンド幅を効果的に拡大させることができることを示し、その結果、図１８および図１９または図２０および図２１に示すマルチモードブロードバンドアンテナモジュールは、アンテナモジュールの動作周波数バンドに関して異なるユーザの使用条件をより十分に満たすことができることがわかる。
【０１１４】
上記の様々なマルチモードブロードバンドアンテナモジュールの第１の放射器２の接続部分２１は、平板構造またはストリップ構造を有することができることに留意されたい。接続部分２１は、伝導機能を有し、したがって、第１の放射器２の接続部分２１が平板構造を有するとき、平板構造の厚さをランダムに設定することができるか、または、平板構造の厚さでさえ、平板構造を平面に近づけるように低減させることができる。同様に、ストリップ構造の厚さおよび幅もランダムに設定することができるが、ストリップ構造の厚さおよび幅は、ストリップ構造を導線に近づけるように低減させることができる。
【０１１５】
同様に、上記の様々なマルチモードブロードバンドアンテナモジュールの第２の放射器３の接地部分３１も、平板構造またはストリップ構造を有することができる。接地部分は、伝導機能を有し、したがって、第２の放射器３の接地部分３１が平板構造を有するとき、平板構造の厚さをランダムに設定することができるか、または、平板構造の厚さでさえ、平板構造を平面に近づけるように低減させることができる。同様に、ストリップ構造の厚さおよび幅もランダムに設定することができるが、ストリップ構造の厚さおよび幅は、ストリップ構造を導線に近づけるように低減させることができる。
【０１１６】
ユーザが電話をかけるためにモバイルフォンなどのワイヤレス端末を使用するとき、ユーザの頭がワイヤレス端末のアンテナモジュールに近いので、ワイヤレス端末の送受信性能は低減され、その結果、ワイヤレス端末全体の放射に関する送受信性能は低減される。ワイヤレス端末を研究および開発するプロセスにおいて、研究および開発に関わる技術者は、ワイヤレス端末の送受信性能に対する人間の頭の影響を定量的に測定し、ワイヤレス端末の送受信性能に対する人間の頭の影響を低減させるように、すなわち、人体とアンテナモジュールとの間の電磁結合を低減させるようにワイヤレス端末を最適に設計する。
【０１１７】
それに加えて、ユーザがモバイルフォンなどのワイヤレス端末を使用するとき、ユーザは、常に、ワイヤレス端末を保持する手を替え、ユーザがワイヤレス端末を保持するために左手を使用する際のワイヤレス端末の送受信性能に対する左手の影響は、ユーザがワイヤレス端末を保持するために右手を使用する際のワイヤレス端末の送受信性能に対する右手の影響と異なる可能性がある。ワイヤレス端末の送受信性能が大いに影響を受けるとき、ワイヤレス端末の通信能力は低減される可能性があり、ワイヤレス端末に関するユーザのユーザエクスペリエンスは低減される。
【０１１８】
本発明の実施形態において、信号供給端部は、ユーザがワイヤレス端末を保持するために左手を使用するか、または右手を使用するかにかかわらず、ワイヤレス端末の信号送受信能力があまり影響を受けないように、プリント回路基板の端部の中間位置に設定することができ、ユーザのユーザエクスペリエンスは、より十分になり、すなわち、ワイヤレス端末は、より十分な頭・手擬似効果を有する。
【０１１９】
さらに、上記の第３のマルチモードブロードバンドアンテナモジュールおよび第４のマルチモードブロードバンドアンテナモジュールの第１の放射器２または第２の放射器３は、対称構造を有するが、対称構造は、プロセス要件を低減させるだけでなく、ワイヤレス端末の頭・手擬似効果をさらに改善する。
【０１２０】
通常、本発明の実施形態において提供される様々なマルチモードブロードバンドアンテナモジュールが占める空間領域は、長さが６０ミリメートル、幅が１０ミリメートル、高さが５ミリメートルとなる。空間領域の長さは、プリント回路基板１上に配置されたマルチモードブロードバンドアンテナモジュールの側面の長さに等しく、プリント回路基板１の他の側面の長さは、約１００ミリメートルとなる。
【０１２１】
上記の第１のマルチモードブロードバンドアンテナモジュール、第３のマルチモードブロードバンドアンテナモジュール、および第４のマルチモードブロードバンドアンテナモジュールの第１の放射器の低周波部分２２および高周波部分２３は、自分で必要に応じて設計し、組み合わせることができることに留意されたい。同様に、上記の第１のマルチモードブロードバンドアンテナモジュール、第３のマルチモードブロードバンドアンテナモジュール、および第４のマルチモードブロードバンドアンテナモジュールの第２の放射器の低周波部分３２および高周波部分３３は、自分で必要に応じて設計し、組み合わせることができ、第３の放射器５を配置する必要があるかどうかを必要に応じて選択することもできる。
【０１２２】
実施形態３
本発明の一実施形態は、マルチモードブロードバンドアンテナモジュールおよびケース本体を含むワイヤレス端末を提供し、マルチモードブロードバンドアンテナモジュールは、ケース本体内に配置される。図２３に示すように、マルチモードブロードバンドアンテナモジュールは、プリント回路基板１、第１の放射器２、および第２の放射器３を含み、
第１の放射器２は、接続部分２１、低周波部分２２、および高周波部分２３を含み、第１の放射器の低周波部分２２は、第１の放射器の高周波部分２３に接続され、第１の放射器の接続部分２１の一方の端部は、第１の放射器の低周波部分２２と高周波部分２３との間のジョイントに接続され、他方の端部は、プリント回路基板１の信号供給端部１１に電気的に接続されており、
第２の放射器３は、接地部分３１、低周波部分３２、および高周波部分３３を含み、第２の放射器の低周波部分３２は、第２の放射器の高周波部分３３に接続され、第２の放射器の接地部分３１の一方の端部は、第２の放射器の低周波部分３２と高周波部分３３との間のジョイントに接続され、他方の端部は、プリント回路基板１の第１の接地端部１２に電気的に接続されている。
【０１２３】
図２３に示すように、３つ、すなわち、第１の放射器２、第２の放射器３、およびプリント回路基板１は、共にマルチモードブロードバンドアンテナモジュールを形成する。ワイヤレス端末の通信信号は、マルチモードブロードバンドアンテナモジュールを介して送信および受信される。
【０１２４】
ワイヤレス端末が信号を送信するとき、通信信号は、プリント回路基板１上に配置され無線周波数回路およびベースバンド回路によって形成された通信モジュールによって処理され、高周波電流に変換されるが、高周波電流は、プリント回路基板１上の信号供給端部１１を介してアンテナモジュールに入り、次いで、電磁波の形態で放射される。
【０１２５】
ワイヤレス端末が信号を受信するとき、ワイヤレス端末の外部空間からの電磁波信号は、マルチモードブロードバンドアンテナモジュールによって受信され、高周波電流に変換され、プリント回路基板１の信号供給端部１１を介して、プリント回路基板１上に配置された通信モジュールに入る。通信モジュールは、通信を正常に行うことができるように、主として無線周波数回路およびベースバンド回路によって形成される。
【０１２６】
第１の放射器と第２の放射器との間に容量性結合効果を形成するために、第１の放射器の低周波部分２２と第２の放射器の低周波部分３２との間に第１の所定の距離が存在し、第１の放射器の高周波部分２３と第２の放射器の高周波部分３３との間に第２の所定の距離が存在し、第１の所定の距離と第２の所定の距離のどちらも、実状に応じて設計および調整される必要があり、この２つは、同じでもよいし、異なってもよいことに留意されたい。
【０１２７】
従来技術では、アンテナモジュールは、通常、プリント回路基板１および第１の放射器２のみを含む。アンテナモジュールがプリント回路基板１および第１の放射器２のみを含む場合、アンテナモジュールの動作周波数バンドは、アンテナモジュールの第１の放射器の高周波部分２３、低周波部分２２、および接続部分２１の電気的長さによって決定される。具体的には、アンテナモジュールの高周波部分２３の電気的長さと接続部分２１の電気的長さとの和が、アンテナモジュールの高周波共振波長の１／４となる。同様に、アンテナモジュールの低周波部分２２の電気的長さと接続部分２１の電気的長さとの和が、アンテナモジュールの低周波共振波長の１／４となる。この場合、アンテナモジュールは、高周波共振波長に対応する共振周波数および低周波共振波長に対応する共振周波数の周りでのみ動作することができる。この場合、明らかに、マルチモードブロードバンドアンテナモジュールの動作バンド幅は、比較的小さい。
【０１２８】
具体的には、図２に示すように、第１の放射器の低周波部分２２の電気的長さは、ａ＋ｂとなり、接続部分の電気的長さはｆ＋ｃとなり、その結果、第１の放射器２の低周波共振波長は、４×［（ａ＋ｂ）＋（ｆ＋ｃ）］となる。同様に、第１の放射器の高周波部分２３の電気的長さは、ｄ＋ｅとなり、その結果、第１の放射器２の高周波共振波長は、４×［（ｄ＋ｅ）＋（ｆ＋ｃ）］となる。
【０１２９】
本発明の実施形態におけるマルチモードブロードバンドアンテナモジュールは、プリント回路基板１および第１の放射器２に加えて、第２の放射器３をさらに含み、第１の放射器の低周波部分２２は、第２の放射器の低周波部分３２に近く、第１の放射器の高周波部分２３は、第２の放射器の高周波部分３３に近い。第２の放射器の低周波部分３２が第１の放射器の低周波部分２２に近いので、第１の放射器の低周波部分２２上に低周波信号が存在するとき、第１の放射器の低周波部分２２および第２の放射器の低周波部分３２は、高次モードをもたらすように容量性結合効果を形成し、それにより、マルチモードブロードバンドアンテナモジュールの動作周波数バンドを拡大させ、動作周波数レンジを拡大させる。
【０１３０】
同様に、第２の放射器の高周波部分３３が第１の放射器の高周波部分２３に近いので、第１の放射器の高周波部分２３上に高周波信号が存在するとき、第１の放射器の高周波部分２３および第２の放射器の高周波部分３３は、高次モードをもたらすように容量性結合効果を形成し、それにより、マルチモードブロードバンドアンテナモジュールの動作周波数バンドを拡大させ、動作周波数レンジを拡大させる。
【０１３１】
マルチモードブロードバンドアンテナモジュールの動作原理は、第１の放射器２と第２の放射器３との間の容量性結合効果に基づいてアンテナモジュールの動作バンド幅が拡大されるという原理なので、マルチモードブロードバンドアンテナモジュールの厚さは、特定のアーキテクチャおよびワイヤレス端末の厚さ要件に応じて設計および調整することができるが、マルチモード条件を満たす動作周波数でマルチモードブロードバンドアンテナモジュールが動作することができるように、関係する技術者が、第１の放射器２の構成部分と第２の放射器３の構成部分との間の距離を厳密に調整する必要があることに留意されたい。
【０１３２】
概して、ワイヤレス端末がマルチモードブロードバンドアンテナモジュールの厚さに関する厳密な要件を有するとき、マルチモードブロードバンドアンテナモジュールの放射指標を満たすという前提のもとで、マルチモードブロードバンドアンテナモジュールの全厚は、約４〜５ミリメートルに制御することができ、その結果、マルチモードブロードバンドアンテナモジュールが配置されたワイヤレス端末の厚さを低減させることができ、最終的に、ワイヤレス端末の厚さは、１センチメートル未満となり、ワイヤレス端末が軽量で薄型になるという傾向に適合する。
【０１３３】
さらに、マルチモードブロードバンドアンテナモジュールの動作周波数バンドは、マルチモードブロードバンドアンテナモジュールの第１の放射器２の厚さまたは第２の放射器３の厚さをランダムに設定することができるように、第１の放射器２の長さおよび第２の放射器３の長さ、または第１の放射器２と第２の放射器３との間の距離を調整することによってのみ調整することができ、製造プロセスにおける第１の放射器２または第２の放射器３の材料使用量を低減させるために、第１の放射器２の厚さまたは第２の放射器３の厚さをできる限り低減させることができる。同様に、第１の放射器２または第２の放射器３の材料使用量をさらに低減させるために、第１の放射器２の幅および第２の放射器３の幅もランダムに設定することができる。
【０１３４】
ユーザが電話をかけるためにモバイルフォンなどのワイヤレス端末を使用するとき、ユーザの頭がワイヤレス端末のアンテナモジュールに近いので、ワイヤレス端末の送受信性能は低減され、その結果、ワイヤレス端末全体の放射に関する送受信性能は低減される。ワイヤレス端末を研究および開発するプロセスにおいて、研究および開発に関わる技術者は、ワイヤレス端末の送受信性能に対する人間の頭の影響を定量的に測定し、ワイヤレス端末の送受信性能に対する人間の頭の影響を低減させるように、すなわち、人体とアンテナモジュールとの間の電磁結合を低減させるようにワイヤレス端末を最適に設計する。
【０１３５】
それに加えて、ユーザがモバイルフォンなどのワイヤレス端末を使用するとき、ユーザは、常に、ワイヤレス端末を保持する手を替え、ユーザがワイヤレス端末を保持するために左手を使用する際のワイヤレス端末の送受信性能に対する左手の影響は、ユーザがワイヤレス端末を保持するために右手を使用する際のワイヤレス端末の送受信性能に対する右手の影響と異なる可能性がある。ワイヤレス端末の送受信性能が大いに影響を受けるとき、ワイヤレス端末の通信能力は低減される可能性があり、ワイヤレス端末に関するユーザのユーザエクスペリエンスは低減される。
【０１３６】
本発明の実施形態において、信号供給端部は、ユーザがワイヤレス端末を保持するために左手を使用するか、または右手を使用するかにかかわらず、ワイヤレス端末の信号送受信能力があまり影響を受けないように、プリント回路基板の端部の中間位置に設定することができ、ユーザのユーザエクスペリエンスは、より十分になり、すなわち、ワイヤレス端末は、より十分な頭・手擬似効果を有する。
【０１３７】
通常、本発明の実施形態において提供されるマルチモードブロードバンドアンテナモジュールが占める空間領域は、長さが６０ミリメートル、幅が１０ミリメートル、高さが５ミリメートルとなる。空間領域の長さは、プリント回路基板１上に配置されたマルチモードブロードバンドアンテナモジュールの側面の長さに等しく、プリント回路基板１の他の側面の長さは、約１００ミリメートルとなる。
【０１３８】
さらに、ワイヤレス端末内のマルチモードブロードバンドアンテナモジュールは、複数の特定の構造を有する。詳細については、実施形態２における説明が参照され、ここで再び説明しない。
【０１３９】
本発明の実施形態における技術的解決策は、プリント回路基板、第１の放射器、および第２の放射器を含むマルチモードブロードバンドアンテナモジュールがワイヤレス端末のケース本体内に配置されたワイヤレス端末を提供する。マルチモードブロードバンドアンテナモジュールの動作原理は、高次モードをもたらすように第１の放射器と第２の放射器との間に容量性結合効果を形成し、それにより、マルチモードブロードバンドアンテナモジュールの動作周波数を拡大させるという原理であり、さらに、マルチモードブロードバンドアンテナモジュールの厚さは、モバイルフォンなどのワイヤレス端末の薄型構造の要件を満たすために、比較的小さい。
【０１４０】
上記の説明は、本発明の特定の実施形態にすぎず、本発明の保護範囲を限定するものではない。本発明で開示された技術的範囲内で当業者が容易に想起する任意の変形形態または代替形態はすべて、本発明の保護範囲内にあるものとする。したがって、本発明の保護範囲は、特許請求の範囲の保護範囲に従うものとする。
【符号の説明】
【０１４１】
１  プリント回路基板
２  第１の放射器
３  第２の放射器
４  インダクタ
５  第３の放射器
１１  信号供給端部
１２  第１の接地端部
１３  第２の接地端部
２１  接続部分
２２  第１の放射器の低周波部分
２３  第１の放射器の高周波部分
３１  接地部分
３２  第２の放射器の低周波部分
３３  第２の放射器の高周波部分
【図１】
0006008352.tif 000002
【図２】
0006008352.tif 000003
【図３】
0006008352.tif 000004
【図４】
0006008352.tif 000005
【図５】
0006008352.tif 000006
【図６】
0006008352.tif 000007
【図７】
0006008352.tif 000008
【図８】
0006008352.tif 000009
【図９】
0006008352.tif 000010
【図１０】
0006008352.tif 000011
【図１１】
0006008352.tif 000012
【図１２】
0006008352.tif 000013
【図１３】
0006008352.tif 000014
【図１４】
0006008352.tif 000015
【図１５】
0006008352.tif 000016
【図１６】
0006008352.tif 000017
【図１７】
0006008352.tif 000018
【図１８】
0006008352.tif 000019
【図１９】
0006008352.tif 000020
【図２０】
0006008352.tif 000021
【図２１】
0006008352.tif 000022
【図２２】
0006008352.tif 000023
【図２３】
0006008352.tif 000024